(57)【要約】      （修正有）【課題】フィルム形態体温計を常に衛生的な状態に保ち、その繰り返し使用が安心して行える体温計収納体を提供する。【解決手段】フィルム形態体温計Ｔの収納スペース８を備える体温計収納体において、収納スペース８の内面に抗菌層２０が設けられてなる。体温計収納体は収納スペースを備えるものであれば適宜の形態であってよい。また、抗菌層は銀イオンやフィトンチッド等の抗菌剤が含有されるフィルムが使用されたり、また、それら抗菌剤が含有される塗料やインクが塗布されることにより形成される。【選択図】図２
0003156650.tif 000002
【実用新案登録請求の範囲】
【請求項１】
フィルム形態体温計の収納スペースを備える体温計収納体において、
前記収納スペースの内面に抗菌層が設けられてなることを特徴とする体温計収納体。
【請求項２】
前記収納スペースの外側面に前記収納スペースへの前記フィルム形態体温計の差し入れ開口を備えるとともに、その差し込れ開口部分より突出する前記フィルム形態体温計の一部を覆うカバー体を備え、かつ、そのカバー体の内面に抗菌層が設けられてなる請求項１記載の体温計収納体。
【考案の詳細な説明】
【技術分野】
【０００１】  この考案は、フィルム形態体温計を収納する体温計収納体に関する。
【背景技術】
【０００２】  最近、フィルム形態で感温部及び温度表示部を備える薄型小形で携帯に便利な体温計が提供されている。この体温計は使い捨て使用される場合もあるが、それほど安価ではないので繰り返し使用される場合も多く、その際には、例えば、カード型の収納体に納められて携帯される。一方、フィルム形態体温計は人体に接触使用されるので衛生的であることが必須であるが、繰り返し使用される際には収納状態において雑菌等の細菌が付着してしまう恐れがある。
【考案の概要】
【考案が解決しようとする課題】
【０００３】  この考案は上記の点に鑑みて行ったもので、フィルム形態体温計が常に衛生的な状態に保たれ、その繰り返し使用が安心して行えるようにすることを目的とする。【０００４】  この考案では、フィルム形態体温計の収納スペースを備える体温計収納体において、前記収納スペースの内面に抗菌層が設けられてなる体温計収納体を提供する。【０００５】  上記構成によれば、収納スペース内においては抗菌層の抗菌作用により雑菌等の細菌が殺され、また、その増殖が抑制される。これによりフィルム形態体温計に細菌が付着することが防止され、フィルム形態体温計は常に衛生的な状態で使用できる。【０００６】  とくに、収納スペースの外側面に収納スペースヘのフィルム形態体温計の差し入れ開口を備えるとともに、その差し込れ開口部分より突出するフィルム形態体温計の一部を覆うカバー体を備え、かつ、そのカバー体の内面にも抗菌層が設けられてなる構成とすることで、カバー体の内面に位置する抗菌層がフィルム形態体温計の差し込れ開口からの突出部を覆い抗菌機能を発揮し、これにより、フィルム形態体温計の全体に対して抗菌機能が発揮される。また、カバー体があることで、携帯時にフィルム形態体温計の差し込れ開口からの突出部に他の物が接触してそこが損傷したり、フィルム形態体温計が抜け出ることが防がれる。【０００７】  体温計収納体は収納スペースを備えるものであれば適宜の形態であってよい。また、抗菌層は銀イオンやフィトンチッド等の抗菌剤が含有されるフィルムが使用されたり、また、それら抗菌剤が含有される塗料やインクが塗布されることにより形成される。
【考案の効果】
【０００８】  この考案によれば、フィルム形態体温計が常に衛生的な状態に保たれ、その繰り返し使用が安心して行えるようになる。
【図面の簡単な説明】
【０００９】
【図１】  この考案の体温計収納体の実施形態の外観斜視図
【図２】  この考案の体温計収納体の実施形態の縦方向断面図
【図３】  この考案の体温計収納体の実施形態の展開図
【図４】  この考案の体温計収納体の実施形態のカバーシートを開いた状態の外観斜視図
【図５】  この考案の体温計収納体の他の実施形態の外観斜視図
【図６】  この考案の体温計収納体の他の実施形態の断面図
【考案を実施するための形態】
【００１０】  図１はこの考案の体温計収納体の斜視図、図２は同縦方向断面図、図３は同展開図である。体温計収納体１は図３に示す紙製のシート基材２が点線位置で折り曲げられて組み立てられており、中間シート５と背面シート６間をフィルム形態体温計Ｔの収納スペース８とし、中間シート５にはその収納スペース８へのフィルム形態体温計Ｔの差し入れ開口１０が設けられている。１２はカバーシート（カバー体）で中間シート５面上に位置し、その下側縁に設けられた差し込み片１４が中間シート５の差し込み部１５に差し込まれてその位置が固定される。体温計収納体１の外形は各種カードとほぼ同形とされていて、財布やポシェット等に各種カードとともに携帯される。
【００１１】  体温計収納体１のシート基材２による組み立ては、背面シート６における両側の折り曲げ片１３それぞれが背面シート６側に折り曲げられるとともにその面に接着剤が塗布され、その上部に重なるように中間シート５が折り曲げられて接着固定され、さらにその中間シート５上に重なるようにカバーシート１２が折り曲げられて行われる。
【００１２】  シート基材２としてはその内側全面に抗菌剤を含有するフィルム２０が貼り付けられたものを使用しており、これにより収納スペース８の両側面及びカバーシート１２の内面にはそのフィルム２０が位置している。
【００１３】  図４はカバーシート１２を開いた状態を示し、差し入れ開口１０から差し込まれることでフィルム形態体温計Ｔの本体部Ｔａが収納スペース８内に収められている。この状態からフィルム形態体温計Ｔは引き抜かれて使用され、また再び収納される。その収納時において、収納スペース８の両側面に抗菌機能を発揮するフィルム２０が存在することで、収納スペース８内の雑菌等の細菌が殺され、また、その増殖が抑制される。これによりフィルム形態体温計Ｔの本体部Ｔａに細菌が付着することが防止される。
【００１４】  とくに、この実施形態のものでは、カバーシート１２の内面に位置するフィルム２０がフィルム形態体温計Ｔの上部Ｔｂを覆い抗菌機能を発揮することで、フィルム形態体温計Ｔの全体に対して抗菌機能が発揮される。また、この実施形態においては、カバーシート１２があることで、携帯時に差し入れ開口１０から突出するフィルム形態体温計Ｔの上部Ｔｂに他の物が接触してそこが損傷したり、フィルム形態体温計Ｔが抜け出ることが防がれる。
【００１５】  図５、図６は他の実施形態を示す。ここに示す体温計収納体１００は内面に抗菌剤が混入されたフィルム２００が貼り付けられた一枚のシート基材が、そのフィルム２００を内側として折り曲げられるとともに周縁が接着固定されて構成され、前シート１０５と後シート１０６間が収納スペース１０８とされるとともに、表面にフィルム形態体温計Ｔの差し入れ開口１１０を備えた構成となっている。
【符号の説明】
【００１６】  １    体温計収納体
８    収納スペース
２０  フィルム（抗菌層）
Ｔ    フィルム形態体温計
【図１】
0003156650.tif 000003
【図２】
0003156650.tif 000004
【図３】
0003156650.tif 000005
【図４】
0003156650.tif 000006
【図５】
0003156650.tif 000007
【図６】
0003156650.tif 000008